(57)【特許請求の範囲】
【請求項１】
信号を増幅する増幅器で発生する歪みを補償する歪み補償装置において、
複数の周波数帯域の信号を含む増幅対象となる信号の全体のレベルを検出する信号レベル検出手段と、
複数の周波数帯域の各周波数帯域毎に異なる歪み補償特性を用いて、前記検出された前記増幅対象となる信号の全体のレベルに基づいて当該信号に含まれる複数の周波数帯域の信号の各周波数帯域の信号毎に歪みを補償する歪み補償手段と、
を備えたことを特徴とする歪み補償装置。
【請求項２】
請求項１に記載の歪み補償装置において、
増幅対象として入力される信号を複数の周波数帯域の信号へ分割する周波数帯域分割手段と、
歪み補償手段により歪み補償された複数の周波数帯域の信号を結合して当該結合結果を増幅器へ出力する周波数帯域結合手段と、を備え、
信号レベル検出手段は、増幅対象として入力される信号のレベルを検出し、
歪み補償手段は、周波数帯域分割手段により分割された各周波数帯域の信号毎に歪みを発生させる複数のプリディストーション手段と、信号レベル検出手段の検出結果に基づいて各プリディストーション手段による歪みの発生を制御するプリディストーション制御手段とを用いて構成された、
ことを特徴とする歪み補償装置。
【請求項３】
請求項２に記載の歪み補償装置において、
周波数帯域結合手段は、歪み補償手段により歪み補償された各周波数帯域の信号をそれぞれ異なる周波数帯域の信号へ変換する歪み補償後信号周波数帯域変換手段を有し、当該変換により得られる複数の周波数帯域の信号を結合して当該結合結果を増幅器へ出力する、
ことを特徴とする歪み補償装置。
【請求項４】
請求項２に記載の歪み補償装置において、
周波数帯域結合手段は、歪み補償手段により歪み補償された複数の周波数帯域の信号を結合し、当該結合結果を異なる周波数帯域の信号へ変換する歪み補償後信号周波数帯域変換手段を有し、当該変換により得られる信号を増幅器へ出力する、
ことを特徴とする歪み補償装置。
【請求項５】
請求項１に記載の歪み補償装置において、
増幅対象として入力される複数の周波数帯域に対応した複数の信号を結合する入力信号結合手段と、
歪み補償手段により歪み補償された複数の周波数帯域に対応した複数の信号を結合して当該結合結果を増幅器へ出力する周波数帯域結合手段と、を備え、
信号レベル検出手段は、入力信号結合手段による結合結果の信号のレベルを検出し、
歪み補償手段は、増幅対象として入力される各周波数帯域に対応した信号毎に歪みを発生させる複数のプリディストーション手段と、信号レベル検出手段の検出結果に基づいて各プリディストーション手段による歪みの発生を制御するプリディストーション制御手段とを用いて構成された、
ことを特徴とする歪み補償装置。
【請求項６】
請求項５に記載の歪み補償装置において、
増幅対象として入力される複数の周波数帯域に対応した複数の信号は同一の周波数帯域の信号として入力され、
入力信号結合手段は、入力される各周波数帯域に対応した信号をそれぞれ異なる周波数帯域の信号へ変換する入力信号周波数帯域変換手段を有し、当該変換により得られる複数の周波数帯域の信号を結合し、
周波数帯域結合手段は、歪み補償手段により歪み補償された各周波数帯域に対応した信号をそれぞれ異なる周波数帯域の信号へ変換する歪み補償後信号周波数帯域変換手段を有し、当該変換により得られる複数の周波数帯域の信号を結合して当該結合結果を増幅器へ出力する、
ことを特徴とする歪み補償装置。
【請求項７】
請求項５に記載の歪み補償装置において、
増幅対象として入力される複数の周波数帯域に対応した複数の信号はそれぞれ異なる周波数帯域の信号として入力され、
周波数帯域結合手段は、歪み補償手段により歪み補償された各周波数帯域に対応した信号をそれぞれ異なる周波数帯域の信号へ変換する歪み補償後信号周波数帯域変換手段を有し、当該変換により得られる複数の周波数帯域の信号を結合して当該結合結果を増幅器へ出力する、
ことを特徴とする歪み補償装置。
【請求項８】
請求項５に記載の歪み補償装置において、
増幅対象として入力される複数の周波数帯域に対応した複数の信号はそれぞれ異なる周波数帯域の信号として入力され、
周波数帯域結合手段は、歪み補償手段により歪み補償された各周波数帯域に対応した信号を結合し、当該結合結果を異なる周波数帯域の信号へ変換する歪み補償後信号周波数帯域変換手段を有し、当該変換により得られる信号を増幅器へ出力する、
ことを特徴とする歪み補償装置。
【請求項９】
請求項２乃至請求項８のいずれか１項に記載の歪み補償装置において、
各プリディストーション手段は、歪みを発生させた信号としてＩ成分のデジタル信号及びＱ成分のデジタル信号を出力し、
各プリディストーション手段から出力されるＩ成分のデジタル信号及びＱ成分のデジタル信号から直交変調結果となるアナログ信号を生成する直交変調手段を備え、
周波数帯域結合手段は、直交変調手段により生成される複数のプリディストーション手段に対応した複数のアナログ信号についての結合結果を取得して当該結合結果を増幅器へ出力する、
ことを特徴とする歪み補償装置。
【請求項１０】
請求項２乃至請求項９のいずれか１項に記載の歪み補償装置において、
増幅器から出力される信号から増幅対象となる信号に対応した信号を復調する信号復調手段を備え、
プリディストーション制御手段は、信号レベルとプリディストーション手段の制御態様とを対応付けて記憶する制御態様記憶手段を有し、当該制御態様記憶手段の記憶内容に基づいて信号レベル検出手段の検出結果に対応付けられた制御態様により各プリディストーション手段による歪みの発生を制御し、
また、当該プリディストーション制御手段は、増幅対象となる信号と信号復調手段により復調された信号とから増幅器で発生した歪みを検出する歪み検出手段と、当該歪み検出手段により検出される歪みが小さくなるように制御態様記憶手段の記憶内容を変更する制御態様記憶内容変更手段とを有する、
ことを特徴とする歪み補償装置。
【請求項１１】
請求項１０に記載の歪み補償装置において、
信号復調手段は、各プリディストーション手段に対応した各周波数帯域の信号毎を復調し、
歪み検出手段は、信号復調手段により復調される各周波数帯域の信号毎に関して増幅器で発生した歪みを検出し、
制御態様記憶内容変更手段は、信号復調手段により復調される各周波数帯域の信号毎に対応した制御態様記憶手段の記憶内容部分を変更する、
ことを特徴とする歪み補償装置。
【請求項１２】
請求項２乃至請求項９のいずれか１項に記載の歪み補償装置において、
増幅器から出力される信号から当該増幅器で発生した歪みを抽出する歪み抽出手段を備え、
プリディストーション制御手段は、信号レベルとプリディストーション手段の制御態様とを対応付けて記憶する制御態様記憶手段を有し、当該制御態様記憶手段の記憶内容に基づいて信号レベル検出手段の検出結果に対応付けられた制御態様により各プリディストーション手段による歪みの発生を制御し、
また、当該プリディストーション制御手段は、歪み抽出手段により抽出される歪みが小さくなるように制御態様記憶手段の記憶内容を変更する制御態様記憶内容変更手段を有する、
ことを特徴とする歪み補償装置。
【請求項１３】
請求項１２に記載の歪み補償装置において、
歪み抽出手段は、各プリディストーション手段に対応した各周波数帯域の歪み毎を抽出し、
制御態様記憶内容変更手段は、歪み抽出手段により抽出される各周波数帯域の歪み毎が小さくなるように当該各周波数帯域の歪み毎に対応した制御態様記憶手段の記憶内容部分を変更する、
ことを特徴とする歪み補償装置。
【請求項１４】
移動通信システムで用いられる送信機であって、
請求項１乃至請求項１３のいずれか１項に記載の歪み補償装置を備え、送信対象となるマルチキャリアの信号を増幅する増幅器で発生する歪みを当該歪み補償装置により歪み補償する、
ことを特徴とする送信機。
【発明の詳細な説明】
【０００１】
【発明の属する技術分野】
本発明は、例えば異なる周波数を有する複数のキャリア信号から成る送信信号を増幅する増幅器で発生する歪みを補償する歪み補償装置や、このような歪み補償装置を備えた増幅装置や、このような増幅装置を備えた基地局装置や中継増幅装置などに関し、特に、それぞれの周波数を有するキャリア信号に対応して周波数特性の影響を低減させることで歪み補償の精度を向上させることなどを実現する技術に関する。
【０００２】
【従来の技術】
例えば広帯域符号分割多元接続（Ｗ−ＣＤＭＡ：Wide band-Code Division Multiple Access）方式を移動通信方式として採用する移動通信システムに備えられた基地局装置（ＣＤＭＡ基地局装置）では、物理的に遠く離れた移動局装置（ＣＤＭＡ移動局装置）の所まで送信した無線信号を到達させる必要があるため、送信対象となる信号を増幅器（アンプ）で大幅に増幅して送信出力することが必要となる。
【０００３】
しかしながら、増幅器はアナログデバイスであるため、その入出力特性は非線形な関数となる。特に、飽和点と呼ばれる増幅限界以降では、増幅器に入力される信号の電力が増大しても出力される信号の電力がほぼ一定となる。そして、この非線形な出力によって非線形歪みが発生させられる。
【０００４】
このため、増幅前の送信信号では希望信号帯域外の信号成分が帯域制限フィルタによって低レベルに抑えられるが、増幅器通過後の信号では非線形歪みが発生して例えば隣接チャネルなどの希望信号帯域外へ信号成分が漏洩する。例えば、基地局装置では上記のように送信電力が高いために、このような隣接チャネルへの漏洩電力の大きさが厳しく規定されており、こうしたことから、このような隣接チャネル漏洩電力（ＡＣＰ：Adjacent Channel leak Power）をいかにして削減するかが大きな問題となっている。
【０００５】
次に、上記のような隣接チャネル漏洩電力を削減するものとして、従来の基地局装置に備えられるプリディストーション技術を用いた歪み補償付き送信電力増幅部の構成例や動作例を示す。
図１３〜図１６のそれぞれには、プリディストーションによる歪み補償付き送信電力増幅部の構成例を示してあり、以下で、それぞれについて説明する。
【０００６】
図１３に示した送信電力増幅部では、まず、増幅対象となる送信信号が歪み補償部４１に入力されて、当該歪み補償部４１により当該信号に対してプリディストーションによる歪み補償特性の歪みが与えられ、その後、当該信号が送信電力の増幅部４２により増幅されて出力される。
【０００７】
ここで、歪み補償特性としては、例えば増幅部４２で信号を増幅する際に発生する振幅−位相平面における非線形特性の逆特性が用いられ、一般的には、入力信号の電力を指標として発生するＡＭ（Amplitude Modulation）−ＡＭ変換及びＡＭ−ＰＭ（Phase Modulation）変換の逆特性が用いられる。すると、増幅部４２に入力される送信信号に対して予め当該増幅部４２の非線形特性の逆特性を有する歪みが歪み補償部４１により与えられるため、当該送信信号を増幅部４２で増幅する際に発生する歪みを補償することができ、これにより、増幅部４２から出力される信号は歪みなく入力信号を増幅した信号となる。
なお、歪み補償部４１は、例えば歪み補償特性を有するダイオードなどを用いて構成される。
【０００８】
図１４に示した送信電力増幅部では、増幅対象となる送信信号が歪み補償部５１及び電力検出部５３に入力されて、当該信号の電力が電力検出部５３により検出されて当該検出結果が制御部５４に出力され、当該検出結果に基づく歪み補償特性の歪みが歪み補償部５１により当該信号に対して与えられるように当該歪み補償部５１が制御部５４により制御され、また、当該制御部５４からの制御信号に従って歪み補償部５１により当該信号に対して歪みが与えられた後に、当該信号が増幅部５２により増幅されて出力される。
【０００９】
ここで、歪み補償部５１は、例えば、入力される信号がアナログ信号である場合には、信号を減衰させる減衰器（アッテネータ：ＡＴＴ）や信号の位相を変化させる位相器を用いて構成され、また、入力される信号がデジタル信号である場合には、デジタル信号の振幅や位相を変化させるベクトル演算器を用いて構成される。
また、電力検出部５３により信号の電力を検出する方法としては、例えば包絡線検波を行う方法や、包絡線検波と同等な処理をプロセッサで行う方法などの種々な方法を用いることができる。
【００１０】
また、制御部５４は、例えばＤＳＰ（Digital Signal Processor）を用いて構成され、歪み補償特性の歪みを与えるためのＡＭ−ＡＭ変換及びＡＭ−ＰＭ変換に関する参照テーブル（ＬＵＴ：Look Up Table）を有する。そして、制御部５４は、例えば、同図に示した送信電力増幅部の入力信号がアナログ信号である場合には、当該入力信号の電力に対応した減衰器の制御情報及び位相器の制御情報などを歪み補償部５１に対して出力し、また、当該入力信号がデジタル信号である場合には、当該入力信号の電力に対応した補償ベクトル情報などを歪み補償部５１に対して出力する。
【００１１】
また、制御部５４は、例えば、同図に示した送信電力増幅部の入力信号がアナログ信号である場合には、電力検出部５３からアナログ信号として入力される電力検出結果をデジタル化するＡ／Ｄ（Analog to Digital）変換器や、歪み補償部５１に対するデジタル制御信号をアナログ化して当該歪み補償部５１へ出力するＤ／Ａ（Digital to Analog）変換器を有する。
【００１２】
図１５に示した送信電力増幅部では、上記図１４に示したものと同様な機能を有する歪み補償部６１や増幅部６２や電力検出部６３や制御部６５から成る構成に、フィードバックループを形成する復調部６４を備えた構成となっている。この送信電力増幅部では、歪み補償部６１及び電力検出部６３に入力される送信信号が制御部６５にも入力され、また、増幅部６２から出力される信号の一部が復調部６４に入力されて、当該信号の一部が当該復調部６４により直交復調され、当該直交復調結果が制御部６５に入力される。
【００１３】
また、この送信電力増幅部では、制御部６５に入力される送信信号と直交復調結果とが当該制御部６５により比較されて増幅部６２で発生した歪み成分が検出され、当該検出される歪み成分が小さくなるように参照テーブルの内容が当該制御部６５により更新させられる。このような参照テーブルの更新により、例えば経年変化や温度変化により生じる増幅部６２の非線形特性の変化に適応することが可能となり、すなわち、アダプティブなプリディストーションを行うことが可能となる。
【００１４】
図１６に示した送信電力増幅部では、上記図１４に示したのと同様な機能を有する歪み補償部７１や増幅部７２や電力検出部７３や制御部７５から成る構成に、フィードバックループを形成するフィルタ部７４を備えた構成となっている。この送信電力増幅部では、増幅部７２から出力される信号の一部がフィルタ部７４に入力されて、増幅部７２で発生する歪み成分が漏洩する帯域の信号のみが当該信号の一部から当該フィルタ部７４により抽出され、当該抽出された歪み成分が制御部７５に入力される。
【００１５】
また、この送信電力増幅部では、制御部７５に入力される歪み成分が小さくなるように参照テーブルの内容が当該制御部７５により更新させられる。このような参照テーブルの更新により、例えば経年変化や温度変化により生じる増幅部７２の非線形特性の変化に適応することが可能となり、すなわち、アダプティブなプリディストーションを行うことが可能となる。
ここで、フィルタ部７４は、例えば、バンドパスフィルタ（ＢＰＦ：Band Pass Filter）やミキサや可変周波数発振器などを用いて構成される。
【００１６】
また、以下で、広帯域信号の歪み補償に関する従来の技術例を紹介する。
例えば、特公平７−１０１８１９号公報（文献１と言う）に記載された「多周波同時増幅器における歪補償回路」では、周波数の異なる多数の無線周波の入力信号を合成した合成信号を広帯域低歪み増幅器により増幅するに際して、算出したスプリアス成分の周波数の歪み成分を増幅信号から検出し、検出される歪み成分が最小となるように前記合成信号に発生させる歪み成分を制御することが行われている。
なお、後述する本発明との差異の一つとして、この文献１には、入力信号のレベルに基づいて歪み補償を制御する構成については何ら記載されていない。
【００１７】
また、例えば、特開２０００−２２３９６１号公報（文献２と言う）に記載された「フィードフォワード増幅器及びその増幅方法」では、各周波数帯域の信号を各プリディストーション回路により歪み補償し、歪み補償後の各周波数帯域の信号を合成し、合成した信号を主増幅器により増幅するに際して、フィードフォワード方式により主増幅器で発生する歪み成分を検出し、検出した歪み成分を増幅信号から除去することが行われている。
なお、上記と同様に、後述する本発明との差異の一つとして、この文献２には、入力信号のレベルに基づいて歪み補償を制御する構成については何ら記載されていない。
【００１８】
【発明が解決しようとする課題】
上記従来例で示したように、従来においては、歪み補償付き電力増幅部の種々な構成が検討等されていた。
しかしながら、例えば上記図１４〜上記図１６に示したような歪み補償の構成では、入力信号が歪み補償部を経て増幅部から出力されるまでの間に存在する周波数特性と、電力検出部に存在する周波数特性との間の差異が原因となって、歪み補償特性すなわち入力信号の電力に対するＡＭ−ＡＭ変換及びＡＭ−ＰＭ変換が一意に定まらないために、歪み補償性能の限界を制約してしまうといった不具合があった。
【００１９】
ここで、図１７を参照して、このような不具合を具体的に説明する。
同図には、上記のような周波数特性の例として、歪み補償部に入力される信号の振幅の周波数特性の一例を（ａ）として示してあり、この場合に増幅部（ＡＭＰ）から出力される信号の振幅の周波数特性の一例を（ｂ）として示してある。なお、同図中のグラフの横軸は周波数を示しており、縦軸は振幅のゲインを示している。
【００２０】
同図に示されるように、例えば歪み補償部に入力される信号の振幅の周波数特性が直線的であっても、増幅部から出力される信号の振幅の周波数特性は直線的にはならずに非線形となってしまう。このような非線形性は、例えば増幅部のドライブアンプや電力増幅器などのような様々な構成要素が有する周波数特性によって発生する。そして、このような非線形性が原因となって、歪み補償部に入力される送信信号の電力と例えば歪みを発生する電力増幅器に入力される信号の電力とが異なってしまい、歪み補償を精度よく行うことができなくなってしまう。
【００２１】
特に、Ｗ−ＣＤＭＡ方式を採用する基地局装置などでは、増幅部で増幅される送信信号に異なる周波数を有する複数のキャリア信号が含まれる場合があり、このような場合には、増幅対象となる信号の周波数帯域がより一層広くなるため、周波数特性が顕著に現れてしまい、当該周波数特性の影響を除去して歪み補償を精度よく行うことができないといった不具合があった。
なお、同図では、振幅の周波数特性の例を示したが、位相などの周波数特性についても同様な非線形性が発生する。
【００２２】
また、上記文献２に記載された「フィードフォワード増幅器及びその増幅方法」では、各周波数帯域の信号を各プリディストーション回路により歪み補償するものと解されるが、この文献２では、このような歪み補償をどのようにして制御すればよいのかといった点については何ら記載されておらず、このような歪み補償を現実に効率的に動作させるためには、当該制御に係る構成などを検討することが必要であった。
【００２３】
つまり、この文献２によれば、例えば広帯域の信号に含まれる各周波数帯域の信号毎に複数のプリディストーション部により歪み補償するようなことは考えられたとも解されるが、この場合に、どのようにして各プリディストーション部を制御するのがよいのかについては検討されていなかった。そこで、後述する本発明では、このような点を検討することにより、例えば各プリディストーション部に対応した各周波数帯域の信号毎に電力レベルを検出して制御するのと比べて、これら複数の周波数帯域の信号が結合された信号つまり増幅対象となる信号全体の電力レベルを検出して制御する方が、例えば制御に係る構成を簡易とすることが可能であり、例えば制御に係る構成の実現を容易とすることが可能であり、例えば制御の精度を向上させることも可能であるなどといった考えに到達した。
【００２４】
本発明は、このような従来の課題を解決するためになされたもので、信号を増幅する増幅器で発生する歪みを補償するに際して、増幅対象となる信号のレベルに基づく制御を行う構成において、歪み補償性能の限界を制約する周波数特性の影響を低減させて、歪み補償の性能を向上させることができる歪み補償装置などを提供することを目的とする。
【００２５】
【課題を解決するための手段】
上記目的を達成するため、本発明に係る歪み補償装置では、次のようにして、信号を増幅する増幅器で発生する歪みを補償する。
すなわち、信号レベル検出手段が増幅対象となる信号のレベルを検出し、歪み補償手段が当該検出結果に基づいて当該信号に含まれる複数の周波数帯域の信号の各周波数帯域の信号毎に歪みを補償する。
【００２６】
従って、増幅対象となる信号に含まれる各周波数帯域の信号毎に歪みが補償されるため、例えば増幅対象となる信号が広帯域の信号であっても、周波数特性の影響を低減させて歪み補償を行うことができ、且つ、増幅対象となる信号全体のレベルに基づいて各周波数帯域の信号毎が歪み補償されるため、例えば簡易な構成により歪み補償の精度を確保することができ、これらにより、歪み補償の性能を向上させることができる。
【００２７】
なお、例えば複数の周波数帯域の信号が増幅対象となる信号に含まれるような場合には個別の周波数帯域の信号毎に電力などのレベルを検出して歪み補償を行うことは現実的には非常に困難であると考えられ、そこで、本発明では、これら複数の周波数帯域の合成電力などのレベルつまり増幅対象となる信号全体のレベルに基づいて個別の周波数帯域毎の歪み補償を行うこととした。このような本発明の構成においては、増幅器で増幅されるのは増幅対象となる信号全体であることなどに鑑みれば、歪み補償の性能を向上させることが十分に実現される。
【００２８】
ここで、周波数帯域としては、例えば幅を有さない周波数帯域、つまり或る一点の値を示す周波数が用いられてもよい。
また、増幅対象となる信号としては、種々な信号が用いられてもよく、本発明は、例えばマルチキャリアの送信信号のように広帯域の信号が用いられるのに適している。
また、増幅対象となる信号としてマルチキャリアの信号が用いられるような場合には、例えば当該マルチキャリア信号の周波数帯域を各キャリアの周波数毎に分割して各分割周波数帯域毎に歪み補償を行うのが好ましいが、例えば分割された１つの周波数帯域の中に複数のキャリアが含まれてもよく、要は、増幅対象となる信号の周波数帯域を分割した各周波数帯域毎に歪み補償が行われればよい。本発明では、増幅対象となる信号の総電力のレベルのように周波数帯域分割されていない状態での信号のレベルを指標として、２以上に分割された各周波数帯域毎に歪み補償が行われる。
【００２９】
また、歪み補償装置に入力される増幅対象となる信号の周波数帯域としては、特に限定はなく、例えば無線周波数（ＲＦ：Radio Frequency）帯域の信号や、中間周波数（ＩＦ：Intermediate Frequency）帯域の信号や、ベースバンド（ＢＢ：Base Band）帯域の信号などの任意の周波数帯域の信号が用いられてもよい。
【００３０】
また、歪み補償装置に入力される増幅対象となる信号としては、例えば直交変調などが施された或いは施されるようなアナログ信号が用いられてもよく、或いは、例えばＩ成分及びＱ成分の複素信号から成るようなデジタル信号が用いられてもよい。また、これらに対応して、歪み補償としては、例えばアナログプリディストーションのようにアナログ処理が用いられてもよく、或いは、例えばデジタルプリディストーションのようにデジタル処理が用いられてもよい。
【００３１】
また、歪み補償を行う方法としては、種々な方法が用いられてもよく、例えば減衰器（ＡＴＴ）や位相器を用いてアナログ信号に対して振幅歪みや位相歪みを与えるような方法や、例えば複素乗算器を用いて歪み逆特性を有するベクトルをデジタル信号に対して乗算するような方法などを用いることができ、また、例えば歪み補償処理を制御するための情報を固定的に記憶する固定テーブルを用いる方法や、或いは、例えば歪み補償処理を制御するための情報を更新するためのフィードバックループなどを備えてアダプティブプリディストーションを実行する方法などを用いることもできる。
【００３２】
また、増幅器としては、種々なものが用いられてもよく、例えば単数の増幅器が用いられてもよく、或いは、複数の増幅器が用いられてもよい。
また、増幅器で発生する歪みを補償する程度としては、当該歪みをゼロに低減させるのが好ましいが、実用上で有効であれば、種々な歪み補償の精度が用いられてもよい。
【００３３】
また、信号レベル検出手段により検出するレベルとしては、種々なレベルが用いられてもよく、例えば電力のレベルや振幅のレベルなどを用いることができる。
また、信号レベル検出手段によるレベル検出は、種々な周波数帯域の状態にある信号を用いて行われてもよく、例えばＲＦ帯域やＩＦ帯域やＢＢ帯域などの任意の周波数帯域の信号を用いてレベルを検出することが可能である。
【００３４】
また、上記のように、本発明では、増幅対象となる信号には複数の周波数帯域の信号が含まれており、これら各周波数帯域の信号毎に歪みが補償される。このため、例えば増幅対象となる信号全体をまとめて歪み補償する場合と比べて、まとめて歪み補償する周波数帯域の幅が小さくなることにより、歪み補償における周波数特性の影響を低減させることができる。
【００３５】
また、信号を増幅する増幅器で発生する歪みは、通常、当該信号のレベルに応じて変化するため、本発明では、当該レベルの検出結果に基づいて歪み補償を行っており、これにより、歪み補償の精度を向上させている。
【００３６】
また、本発明に係る歪み補償装置では、一構成例として、次のようにして、歪み補償を行う。
すなわち、周波数帯域分割手段が増幅対象として入力される信号を複数の周波数帯域の信号へ分割し、信号レベル検出手段が増幅対象として入力される信号のレベルを検出し、歪み補償手段は複数のプリディストーション手段とプリディストーション制御手段とを用いて構成されて、複数のプリディストーション手段が周波数帯域分割手段により分割された各周波数帯域の信号毎に歪みを発生させ、これに際してプリディストーション制御手段が信号レベル検出手段の検出結果に基づいて各プリディストーション手段による歪みの発生を制御し、また、周波数帯域結合手段が歪み補償手段により歪み補償された複数の周波数帯域の信号を結合して当該結合結果を増幅器へ出力する。
【００３７】
従って、増幅対象として入力される信号に含まれる各周波数帯域の信号毎にプリディストーションによる歪み補償を行うことができ、また、当該歪み補償後にこれら複数の周波数帯域の信号を結合して当該結合信号を増幅器へ出力することができる。なお、増幅器では入力される結合信号が増幅され、プリディストーション手段により発生させられた歪み（プリディストーション歪み）と当該増幅器で発生する歪みとが互いに打ち消されることにより、全体として歪みがゼロに或いは小さく低減させられる。
【００３８】
ここで、複数の周波数帯域の信号へ分割する場合の当該複数としては、種々な数が用いられてもよく、通常は、当該数が大きいほど歪み補償における周波数特性の影響を小さくすることができると考えられる。
また、複数の周波数帯域の信号へ分割する仕方としては、例えばそれぞれが同じ幅を有する複数の周波数帯域の信号へ分割する仕方などを用いることができる。
また、本発明では、例えば、これら分割された複数の信号を結合して、分割前と同じ周波数帯域を有する信号へ戻すことが行われる。
【００３９】
また、複数のプリディストーション手段の当該複数としては、特に限定はなく、例えば前記分割の数と同じ数が用いられる。
また、周波数帯域結合手段から増幅器へ出力される結合信号としては、例えば増幅対象となる信号としてアンテナから無線送信される送信信号が用いられるような場合には、通常は、ＲＦ帯域の結合信号が用いられる。
【００４０】
また、上記のような本発明に係る歪み補償装置では、例えば周波数帯域結合部において処理対象となる信号の周波数帯域を変換する構成とすることもでき、これにより、各処理部において処理対象となる信号をそれぞれの処理に適した周波数帯域の信号として処理することが可能となる。
一例として、本発明に係る歪み補償装置では、上記のような構成において、周波数帯域結合手段は、歪み補償後信号周波数帯域変換手段により歪み補償手段により歪み補償された各周波数帯域の信号をそれぞれ異なる周波数帯域の信号へ変換し、そして、当該変換により得られる複数の周波数帯域の信号を結合して当該結合結果を増幅器へ出力する。
他の例として、本発明に係る歪み補償装置では、上記のような構成において、周波数帯域結合手段は、歪み補償手段により歪み補償された複数の周波数帯域の信号を結合し、そして、歪み補償後信号周波数帯域変換手段により当該結合結果を異なる周波数帯域の信号へ変換し、その後、当該変換により得られる信号を増幅器へ出力する。
【００４１】
また、本発明に係る歪み補償装置では、他の構成例として、次のようにして、歪み補償を行う。
すなわち、入力信号結合手段が増幅対象として入力される複数の周波数帯域に対応した複数の信号を結合し、信号レベル検出手段が入力信号結合手段による結合結果の信号のレベルを検出し、歪み補償手段は複数のプリディストーション手段とプリディストーション制御手段とを用いて構成されて、複数のプリディストーション手段が増幅対象として入力される各周波数帯域に対応した信号毎に歪みを発生させ、これに際してプリディストーション手段が信号レベル検出手段の検出結果に基づいて各プリディストーション手段による歪みの発生を制御し、また、周波数帯域結合手段が歪み補償手段により歪み補償された複数の周波数帯域に対応した複数の信号を結合して当該結合結果を増幅器へ出力する。
【００４２】
従って、複数の周波数帯域に対応した複数の信号が増幅対象として入力される場合に、これら複数の信号を結合した結合信号のレベルに基づいて歪み補償を制御することができ、また、当該歪み補償後にこれら複数の信号を結合して当該結合信号を増幅器へ出力することができる。
【００４３】
ここで、複数周波数帯域に対応した複数の信号としては、例えば互いに異なる周波数帯域の信号が用いられてもよく、或いは、以下に示すように例えば入力される段階において同一の周波数帯域の信号が用いられてもよい。
【００４４】
すなわち、本発明に係る歪み補償装置では、増幅対象として入力される複数の周波数帯域に対応した複数の信号が同一の周波数帯域の信号として入力される場合には、入力信号結合手段は、入力される各周波数帯域に対応した信号を入力信号周波数帯域変換手段によりそれぞれ異なる周波数帯域の信号へ変換した後に、当該変換により得られる複数の周波数帯域の信号を結合し、また、周波数帯域結合手段は、歪み補償手段により歪み補償された各周波数帯域に対応した信号を歪み補償後信号周波数帯域変換手段によりそれぞれ異なる周波数帯域の信号へ変換した後に、当該変換により得られる複数の周波数帯域の信号を結合して当該結合結果を増幅器へ出力する。
【００４５】
従って、例えば信号処理の都合上などから、複数の周波数帯域に対応した複数の信号が同一の周波数帯域の信号として入力される場合において、これら複数の信号を結合した結合信号のレベルに基づいて歪み補償を行うことができ、また、歪み補償後の複数の信号を結合した結合信号を増幅器へ出力することができる。
【００４６】
また、複数の周波数帯域に対応した複数の信号として互いに異なる周波数帯域の信号が用いられる場合に、周波数帯域結合部において信号の周波数帯域をアップコンバートなどする構成例を示す。
一例として、本発明に係る歪み補償装置では、増幅対象として入力される複数の周波数帯域に対応した複数の信号がそれぞれ異なる周波数帯域の信号として入力される場合に、周波数帯域結合手段は、歪み補償後信号周波数帯域変換手段により歪み補償手段により歪み補償された各周波数帯域に対応した信号をそれぞれ異なる周波数帯域の信号へ変換し、そして、当該変換により得られる複数の周波数帯域の信号を結合して当該結合結果を増幅器へ出力する。
他の例として、本発明に係る歪み補償装置では、増幅対象として入力される複数の周波数帯域に対応した複数の信号がそれぞれ異なる周波数帯域の信号として入力される場合に、周波数帯域結合手段は、歪み補償手段により歪み補償された各周波数帯域に対応した信号を結合し、そして、歪み補償後信号周波数帯域変換手段により当該結合結果を異なる周波数帯域の信号へ変換し、その後、当該変換により得られる信号を増幅器へ出力する。
【００４７】
また、本発明に係る歪み補償装置では、次のようにして、デジタル処理を行う。
すなわち、各プリディストーション手段が歪みを発生させた信号としてＩ成分のデジタル信号及びＱ成分のデジタル信号を出力し、直交変調手段が各プリディストーション手段から出力されるＩ成分のデジタル信号及びＱ成分のデジタル信号から直交変調結果となるアナログ信号を生成し、周波数帯域結合手段が直交変調手段により生成される複数のプリディストーション手段に対応した複数のアナログ信号についての結合結果を取得して当該結合結果を増幅器へ出力する。
【００４８】
従って、例えば増幅対象として入力される信号がＩ成分のデジタル信号及びＱ成分のデジタル信号から構成されるような場合においても、デジタル処理により歪み補償を行った後に、当該歪み補償後の結合信号をアナログ信号として増幅器へ出力することができる。
なお、本発明の構成は、例えばコストや回路規模などの実現性の点に関して、特に、デジタルプリディストーションなどを行う歪み補償装置を構成するのに有効なものであると考えられる。
【００４９】
ここで、Ｉ成分のデジタル信号及びＱ成分のデジタル信号から直交変調結果となるアナログ信号を生成する仕方としては、例えばＩ成分のデジタル信号及びＱ成分のデジタル信号をアナログ化した後にアナログ直交変調する仕方や、或いは、例えばＩ成分のデジタル信号及びＱ成分のデジタル信号をデジタル直交変調した後に当該デジタル直交変調結果をアナログ化する仕方を用いることができる。
【００５０】
また、本発明に係る歪み補償装置では、アダプティブプリディストーションの一構成例として、次のようにして、歪み補償を行う。
すなわち、信号復調手段が増幅器から出力される信号から増幅対象となる信号に対応した信号を復調し、また、プリディストーション制御手段は、信号レベルとプリディストーション手段の制御態様とを対応付けて記憶する制御態様記憶手段を有しており、当該制御態様記憶手段の記憶内容に基づいて信号レベル検出手段の検出結果に対応付けられた制御態様により各プリディストーション手段による歪みの発生を制御し、また、当該プリディストーション制御手段は歪み検出手段と制御態様記憶内容変更手段とを有しており、歪み検出手段が増幅対象となる信号と信号復調手段により復調された信号とから増幅器で発生した歪みを検出し、制御態様記憶内容変更手段が当該歪み検出手段により検出される歪みが小さくなるように制御態様記憶手段の記憶内容を変更する。
【００５１】
従って、増幅対象となる信号全体のレベルに基づいて当該信号に含まれる各周波数帯域の信号毎に歪み補償を行う構成において、増幅器から出力される信号に含まれる歪みが小さくなるように信号レベルと制御態様との対応付けの内容が変更されるため、例えば経年変化や温度変化などにより増幅器などの非線形特性の変化があったような場合においても、精度のよい歪み補償が行われることを保証することができる。
【００５２】
ここで、信号復調に用いられる増幅器から出力される信号としては、通常、増幅器から出力される信号の一部が分配されて用いられ、当該信号の他の部分は増幅信号として後段の処理部などへ出力される。
また、増幅対象となる信号に対応した信号としては、例えば増幅対象となる信号と同じ周波数帯域の信号が復調され、この場合、当該復調信号には増幅器で発生した歪みが含まれる一方、増幅器で増幅される前の増幅対象となる信号には当該歪みが含まれないため、これらに基づいて増幅器で発生した歪みを検出することが可能である。
【００５３】
また、制御態様記憶手段としては、例えば情報を記憶するメモリが用いられる。
また、信号レベルとプリディストーション手段の制御態様との対応付けとしては、例えば、信号レベル検出手段により検出される信号レベルと、当該信号レベルが検出された場合にプリディストーション制御手段を制御するのに用いる制御態様とを対応付けたものが用いられる。
【００５４】
また、歪み検出手段により検出される歪みが小さくなるようにする態様としては、当該歪みが最小となるようにするのが好ましいが、実用上で有効であれば、他の態様が用いられてもよい。
また、制御態様記憶手段の記憶内容を変更する仕方としては、例えばメモリに記憶された情報の内容を書き換えるような態様が用いられる。
また、このような情報内容を書き換える態様としては、例えば当該情報内容の全部を書き換える態様や、或いは、当該情報内容の一部を書き換えるような態様を用いることもできる。
【００５５】
一例として、本発明に係る歪み補償装置では、信号復調手段が各プリディストーション手段に対応した各周波数帯域の信号毎を復調し、歪み検出手段が信号復調手段により復調される各周波数帯域の信号毎に関して増幅器で発生した歪みを検出し、制御態様記憶内容変更手段が信号復調手段により復調される各周波数帯域の信号毎に対応した制御態様記憶手段の記憶内容部分を変更する。
従って、各プリディストーション手段に対応した各周波数帯域毎に対応して制御態様記憶手段の記憶内容部分が変更されるため、より精度の高い歪み補償を実現することができる。
【００５６】
ここで、各プリディストーション手段に対応した各周波数帯域の信号毎を復調する仕方としては、例えば複数の復調器を用いて各周波数帯域の信号毎を同時に復調するような仕方や、或いは、例えば１つの復調器を用いて各周波数帯域の信号毎を時分割で復調するような仕方を用いることができる。
また、各プリディストーション手段に対応した各周波数帯域の信号毎としては、例えば、各プリディストーション手段で処理される周波数帯域と同一の周波数帯域を有する信号が復調されるのが好ましい。
【００５７】
また、本発明に係る歪み補償装置では、アダプティブプリディストーションの他の構成例として、次のようにして、歪み補償を行う。
すなわち、歪み抽出手段が増幅器から出力される信号から当該増幅器で発生した歪みを抽出し、また、プリディストーション制御手段は、信号レベルとプリディストーション手段の制御態様とを対応付けて記憶する制御態様記憶手段を有しており、当該制御態様記憶手段の記憶内容に基づいて信号レベル検出手段の検出結果に対応付けられた制御態様により各プリディストーション手段による歪みの発生を制御し、また、当該プリディストーション制御手段は制御態様記憶内容変更手段を有しており、当該制御態様記憶内容変更手段が歪み抽出手段により抽出される歪みが小さくなるように制御態様記憶手段の記憶内容を変更する。
【００５８】
従って、増幅対象となる信号全体のレベルに基づいて当該信号に含まれる各周波数帯域の信号毎に歪み補償を行う構成において、増幅器から出力される信号に含まれる歪みが小さくなるように信号レベルと制御態様との対応付けが変更されるため、例えば経年変化や温度変化などにより増幅器などの非線形特性の変化があったような場合においても、精度のよい歪み補償が行われることを保証することができる。
【００５９】
ここで、歪みの抽出に用いられる増幅器から出力される信号としては、通常、増幅器から出力される信号の一部が分配されて用いられ、当該信号の他の部分は増幅信号として後段の処理部などへ出力される。
また、歪み抽出手段としては、例えば所定の周波数帯域の信号を抽出するフィルタを用いることができる。
【００６０】
また、上記と同様に、制御態様記憶手段の記憶内容を変更する態様としては、例えば当該記憶内容の全部を変更する態様や、或いは、当該記憶内容の一部を変更するような態様を用いることもできる。
【００６１】
一例として、本発明に係る歪み補償装置では、歪み抽出手段が各プリディストーション手段に対応した各周波数帯域の歪み毎を抽出し、制御態様記憶内容変更手段が歪み抽出手段により抽出される各周波数帯域の歪み毎が小さくなるように当該各周波数帯域の歪み毎に対応した制御態様記憶手段の記憶内容部分を変更する。
従って、各プリディストーション手段に対応した各周波数帯域毎に対応して制御態様記憶手段の記憶内容部分が変更されるため、より精度の高い歪み補償を実現することができる。
【００６２】
ここで、各プリディストーション手段に対応した各周波数帯域の歪み毎を抽出する仕方としては、例えば複数のフィルタを用いて各周波数帯域の歪み毎を同時に抽出するような仕方や、或いは、例えば１つのフィルタを用いて各周波数帯域の歪み毎を時分割で抽出するような仕方を用いることができる。
また、各プリディストーション手段に対応した各周波数帯域の歪み毎としては、例えば、各プリディストーション手段で処理される周波数帯域の中で増幅対象となる信号と比べて低周波領域側にあって歪み成分が多い周波数帯域の歪みや、或いは、当該信号と比べて高周波領域側にあって歪み成分が多い周波数帯域の歪みなどが抽出されるのが好ましい。
【００６３】
また、以上に示したような歪み補償装置は、例えば携帯電話システムや簡易型携帯電話システム（ＰＨＳ：Personal Handy phone System）などの移動通信システムで用いられる基地局装置や中継増幅装置などに備えられる送信機に適用するのに好適なものである。
一例として、本発明に係る送信機は、移動通信システムで用いられ、以上に示したような歪み補償装置を備え、送信対象となるマルチキャリアの信号を増幅する増幅器で発生する歪みを当該歪み補償装置により歪み補償する。
【００６４】
なお、このような送信機で用いられる通信方式としては、種々な通信方式が用いられてもよく、本発明は、例えばＷ−ＣＤＭＡ方式などのＣＤＭＡ方式ばかりでなく、ＴＤＭＡ（Time Division Multiple Access）方式やＦＤＭＡ（Frequency Division Multiple Access）方式などに適用することも可能なものである。
【００６５】
次に、図１１を参照して、本発明に係る各周波数帯域毎の歪み補償の一例を具体的に説明する。
なお、ここでは、例えば上記図１４などに示したような歪み補償付き送信電力増幅部に本発明を適用した場合を例とする。
この場合、本発明では、例えば、歪み補償付き送信電力増幅部で増幅する送信信号の瞬時的な総電力のレベルを測定或いは計算し、周波数帯域分割された各信号毎の歪み補償特性に基づいて取得される当該総電力レベルに対応した歪み補償のための制御量に従って当該周波数帯域分割された各信号毎に対して減衰器及び位相器の組や或いはベクトル演算器などを用いて歪み補償特性（歪み逆特性）の歪みを与え、その後、当該歪み補償特性の歪みが与えられた複数の信号を結合して増幅部へ出力する。すると、増幅部の出力では、当該増幅部で発生する非線形歪みと前記歪み補償特性の歪みとが相殺されることにより、当該増幅部で発生する歪みが低減させられる。
【００６６】
このように、本発明では、送信信号を周波数帯域分割したそれぞれの周波数帯域の信号毎に個別に歪み補償が行われるため、各周波数帯域毎に異なる振幅特性や位相特性や相互変調特性などといった周波数特性の影響を低減させること或いは好ましい態様として除去することができ、これにより、歪み補償の精度を向上させることができる。
【００６７】
なお、図１において、増幅部４の出力までの周波数特性が直線的であるとみなすことができる場合には、歪み補償特性はそれぞれの分割周波数帯域で等しくなり、更に、複数の周波数帯域信号に関する加法則が成立することから、各周波数帯域毎に歪み補償された信号を結合すると、図１の増幅部４に入力される信号は、図１４の増幅部５２に入力される信号と等しくなる。
【００６８】
一方、本願発明に係る場合の例として、図１において、増幅部４の出力までの周波数特性が直線的ではなく非直線的である場合には、それぞれの分割周波数帯域の歪み補償を行う機能の間で位相やゲインの特性が異なることが生じ得ることから、それぞれの分割周波数帯域の歪み補償を行う機能毎に個別のＡＭ−ＡＭ変換及びＡＭ−ＰＭ変換の逆特性が歪み補償特性として用いられる。
【００６９】
図１１（ａ）〜同図（ｄ）には、それぞれ異なる分割周波数帯域ｆ１、ｆ２、ｆ３、ｆｎ（ここでは、ｎは４以上の複数を示す。また、ｆ１〜ｆｎは各分割周波数帯域の中心周波数の値を示す。）の歪み補償を行う機能について、ＡＭ−ＡＭ変換に関する歪み逆特性の一例を示してある。なお、同図（ａ）〜同図（ｄ）中のグラフの横軸は増幅対象となる送信信号の総電力のレベルを示しており、縦軸は振幅の制御量を示してある。同図（ａ）〜同図（ｄ）に示されるように、各周波数帯域ｆ１、ｆ２、ｆ３、ｆｎ毎に歪み補償に用いる歪み補償特性（歪み逆特性）が異なっており、各周波数帯域ｆ１、ｆ２、ｆ３、ｆｎ毎に周波数特性の影響を低減させるのに適した歪み補償特性が用いられる。
【００７０】
なお、マルチキャリア伝送では複数の周波数に対応した複数のキャリアの信号を合成した信号を送信し、当該合成信号が増幅対象となり、当該合成信号の電力レベルが上記図１１（ａ）〜同図（ｄ）中のグラフの横軸に示されることとなる。そして、このような合成信号の電力に基づいて、当該合成信号を増幅器で増幅する際に発生する歪みが補償されるように、各分割周波数帯域毎に歪み補償することが行われる。
【００７１】
次に、図１２を参照して、本発明に係る歪み補償装置に入力される信号の入力時における周波数帯域の態様例を示す。
まず、増幅対象となる信号全体の電力レベルを検出する場合や、歪み補償後の信号を増幅器へ出力するような場合には、例えば同図（ａ）に示される信号のように、複数の周波数帯域に対応した複数の信号がそれぞれ異なる周波数帯域ｆ１、ｆ２、…、ｆｍ（ここでは、ｍは３以上の複数を示す。また、ｆ１〜ｆｍは各周波数帯域の中心周波数の値を示す。）を有することが必要となる。なお、同図（ａ）〜同図（ｄ）中のグラフの横軸は周波数（ｆ）を示しており、これらの各グラフでは信号のスペクトルの例を示してある。
【００７２】
上記のことに関して、例えば同図（ｂ）に示されるように複数の周波数帯域に対応した複数の信号がそれぞれ異なる周波数帯域ｆ１、ｆ２、ｆ３、…の信号として入力されるような場合には、これら複数の信号を結合することにより同図（ａ）に示したような信号を得ることができるが、例えば同図（ｃ）に示されるように複数の周波数帯域に対応した複数の信号が同一の周波数帯域ｆ１’（ここで、ｆ１’は周波数帯域の中心周波数の値を示す。）の信号として入力されるような場合には、このまま結合しただけでは同図（ａ）に示したような信号を得ることができない。
【００７３】
そこで、同図（ｃ）に示されるような信号が入力される場合には、例えば同図（ｄ）に示されるように、各周波数帯域に対応した信号毎に異なる周波数帯域へのアップコンバートなどを行って、当該各周波数帯域に対応した信号の周波数帯域をそれぞれ異なる周波数帯域ｆ１’、ｆ２’、ｆ３’、…（ここで、ｆ２’、ｆ３’、…は、ｆ１’と同様に、各周波数帯域の中心周波数の値を示す。）へ周波数変換することが必要となる。なお、例えば増幅対象となる信号としてＩＦ帯域の信号やＢＢ帯域の信号が入力されるような場合には、このような可能性が高いと考えられる。また、それぞれ異なる周波数帯域ｆ１’、ｆ２’、ｆ３’、…としては、種々な周波数帯域が用いられてもよく、例えば０、５、１０、１５、…［ＭＨｚ］といった周波数を中心周波数とする周波数帯域や、例えば９０、９５、１００、１０５、…［ＭＨｚ］といった周波数を中心周波数とする周波数帯域や、例えば２．１１２５、２．１１７５、２．１２２５、２，１２７５、…［ＭＨｚ］といった周波数を中心周波数とする周波数帯域などの任意の周波数帯域を用いることができる。
【００７４】
なお、複数の周波数帯域に対応した複数の信号を同一の周波数帯域の状態のままで結合した場合に検出される当該結合信号の電力レベルと、上記のようにそれぞれ異なる周波数帯域へ変換した後に結合した場合に検出される当該結合信号の電力レベルとは、通常、異なる。
【００７５】
このように、本来では異なる周波数帯域ｆ１〜ｆｍの信号が歪み補償の段階では同一の周波数帯域の信号として入力されるような場合には、上記のように入力信号結合手段や周波数帯域結合手段に周波数帯域変換手段を備えることが必要となり、逆に、異なる周波数帯域ｆ１〜ｆｍの信号が異なる周波数帯域のまま入力されるような場合には、このような周波数帯域変換手段は必ずしも必要とはならない。
【００７６】
【発明の実施の形態】
本発明に係る実施例を図面を参照して説明する。
なお、以下の実施例では、本発明に係る歪み補償装置を備えた増幅装置を例として示す。また、以下の実施例で示す増幅装置は、例えばＷ−ＣＤＭＡ方式を用いて無線通信を行う基地局装置などに備えられて、マルチキャリアの送信信号を増幅部により増幅し、これに際して、当該増幅部で発生する歪みを補償する。
また、以下の実施例では、ｎは２以上の複数を示すとする。
【００７７】
まず、本発明の第１実施例に係る増幅装置を説明する。
図１には、本例の増幅装置の構成例を示してあり、この増幅装置には、周波数帯域分割部１と、ｎ個のプリディストーション（ＰＤ）部ＰＤ１〜ＰＤｎを有した歪み補償部２と、周波数帯域結合部３と、増幅部４と、電力検出部５と、制御部６とが備えられている。
【００７８】
本例では、増幅対象となるマルチキャリアの送信信号が周波数帯域分割部１及び電力検出部５に入力される。
周波数帯域分割部１は、入力される送信信号をｎ個の周波数帯域ｆ１〜ｆｎ（ここで、f１〜ｆｎは各周波数帯域の中心周波数の値を示し、以下も同様である。）の信号へ分割し、分割した各周波数帯域ｆ１〜ｆｎの信号を当該各周波数帯域ｆ１〜ｆｎに対応した各プリディストーション部ＰＤ１〜ＰＤｎへ出力する。ここで、周波数帯域分割部１は、例えば各周波数帯域ｆ１〜ｆｎの信号を抽出するバンドパスフィルタや、或いは、これと同等な機能を信号処理により実現するプロセッサなどを用いて構成されている。また、好ましい態様として、ｎ個の周波数帯域ｆ１〜ｆｎとしては、例えばマルチキャリアの送信信号に含まれる各キャリアの周波数に対応している。
【００７９】
歪み補償部２に備えられた各プリディストーション部ＰＤ１〜ＰＤｎは、後述する制御部６から入力される制御信号に従って、周波数帯域分割部１から入力される各分割周波数帯域ｆ１〜ｆｎの信号毎に対して歪みを与えることによりプリディストーションによる歪み補償を行い、当該歪み補償後の各分割周波数帯域ｆ１〜ｆｎの信号毎を周波数帯域結合部３へ出力する。
【００８０】
周波数帯域結合部３は、歪み補償部２に備えられた複数のプリディストーション部ＰＤ１〜ＰＤｎから入力される複数の信号を結合し、当該結合信号を増幅部４へ出力する。なお、具体的には、結合信号は、例えば周波数帯域分割部１に入力された信号の周波数帯域と同一の周波数帯域を有しており、本例では、各分割周波数帯域ｆ１〜ｆｎを結合した周波数帯域を有する。ここで、周波数帯域結合部３は、例えばカプラや、或いは、これと同等な機能を信号処理により実現するプロセッサなどを用いて構成されている。
【００８１】
増幅部４は、周波数帯域結合部３から入力される結合信号を増幅し、当該増幅信号をアンテナ系（図示せず）などに対して出力する。
また、電力検出部５は、例えば包絡線検波により、入力される送信信号の電力のレベルを検出し、当該検出結果を制御部６へ出力する。
【００８２】
制御部６は、例えば電力検出部５から入力される信号電力の検出結果と各プリディストーション部ＰＤ１〜ＰＤｎを制御するための制御情報とを対応付けて格納する参照テーブルをメモリに記憶しており、電力検出部５から入力される検出結果に対応した制御情報を当該参照テーブルから読み出して、当該制御情報の内容を示す制御信号を各プリディストーション部ＰＤ１〜ＰＤｎへ出力する。ここで、制御情報としては、例えば当該制御情報に対応付けられた電力の信号が入力される場合に各プリディストーション部ＰＤ１〜ＰＤｎにより当該信号に対して増幅器で発生する歪みの逆特性の歪みを与えることができるような情報が設定される。
【００８３】
なお、本例や上記図１では、説明の便宜上から、制御部６が周波数帯域分割数ｎと同数であるｎ個の制御信号のそれぞれを各プリディストーション部ＰＤ１〜ＰＤｎに対して出力する構成としたが、例えばｎ個のプリディストーション部ＰＤ１〜ＰＤｎを制御するための情報を示す１つの制御信号を制御部６から歪み補償部２に対して出力するなどの他の構成が用いられてもよい。
【００８４】
以上のように、本例の増幅装置では、異なる周波数を有する複数のキャリア信号が送信信号として入力される場合に、当該送信信号を増幅する増幅部４で発生する歪みを補償するに際して、当該送信信号の電力を指標として、当該送信信号に対して２以上に分割された各周波数帯域毎に歪み補償が行われる。
従って、本例の増幅装置では、送信信号の電力に基づいて各分割周波数帯域の信号毎が歪み補償されることにより、歪み補償の精度を向上させることや、周波数特性の影響を低減させて歪み補償を行うことができる。
【００８５】
ここで、本例では、増幅部４を構成する増幅器が歪み補償対象となる増幅器に相当しており、また、電力検出部５の機能により信号レベル検出手段が構成されており、歪み補償部２に備えられた複数のプリディストーション部ＰＤ１〜ＰＤｎの機能や制御部６の機能により歪み補償手段が構成されている。
また、本例では、周波数帯域分割部１の機能により周波数帯域分割手段が構成されており、周波数帯域結合部３の機能により周波数帯域結合手段が構成されており、複数のプリディストーション部ＰＤ１〜ＰＤｎの機能により複数のプリディストーション手段が構成されており、制御部６の機能によりプリディストーション制御手段が構成されている。
【００８６】
次に、本発明の第２実施例に係る増幅装置を説明する。
図２には、本例の増幅装置の構成例を示してあり、この増幅装置には、上記第１実施例の図１に示したものと同様な機能を有する構成部分として、複数のプリディストーション部ＰＤ１〜ＰＤｎを有した歪み補償部２と、周波数帯域結合部３と、増幅部４と、電力検出部５と、制御部６とが備えられており、また、本例では、入力信号結合部１１が備えられている。なお、本例の増幅装置では、上記第１実施例の図１に示した周波数帯域分割部１の機能は備えられていない。また、説明の便宜上から、上記第１実施例の図１に示したものと同様な機能を有する構成部分には当該図１に示したものと同じ符号を付してある。また、図２中の“ａ１”及び“ｂ１”については後述する他の実施例の説明で用いる。
【００８７】
本例の増幅装置では、増幅対象となるマルチキャリアの送信信号がそれぞれのキャリア信号毎に独立に入力される構成であり、具体的には、例えば各周波数帯域ｆ１〜ｆｎの信号毎が当該各周波数帯域ｆ１〜ｆｎに対応した各プリディストーション部ＰＤ１〜ＰＤｎに入力され、また、これら複数の入力信号が入力信号結合部１１に入力される。
【００８８】
入力信号結合部１１は、例えば周波数帯域結合部３と同様な機能を有しており、入力される全ての信号を結合し、当該結合信号を電力検出部５へ出力する。ここで、入力信号結合部１１は、例えばカプラや、或いは、これと同等な機能を信号処理により実現するプロセッサなどを用いて構成されている。
【００８９】
また、本例の電力検出部５は、入力信号結合部１１から入力される結合信号の電力レベルを検出し、当該検出結果を制御部６へ出力する。
また、本例のように各プリディストーション部ＰＤ１〜ＰＤｎに対応したｎ個の信号が入力される構成では、歪み補償部２や周波数帯域結合部３や増幅部４や制御部６の構成や動作は、例えば上記第１実施例で示したものと同様となる。
【００９０】
以上のように、本例の増幅装置では、増幅対象となる信号が複数の周波数帯域に対応した複数の信号として入力されるような場合においても、例えば上記第１実施例で述べたのと同様な効果を得ることができる。
ここで、本例では、入力信号結合部の機能により入力信号結合手段が構成されている。
【００９１】
次に、本発明の第３実施例に係る増幅装置を説明する。
図３には、本例の増幅装置の構成例を示してあり、この増幅装置には、上記第１実施例の図１に示したものと同様な機能を有する構成部分として、周波数帯域分割部１と、複数のプリディストーション部ＰＤ１〜ＰＤｎを有した歪み補償部２と、周波数帯域結合部３と、増幅部４と、電力検出部５とが備えられており、また、本例では、復調部１２と、フィードバック制御を行う機能を有した制御部１３とが備えられている。なお、説明の便宜上から、上記第１実施例の図１に示したものと同様な機能を有する構成部分には当該図１に示したものと同じ符号を付してある。
【００９２】
本例の増幅装置では、増幅対象となるマルチキャリアの送信信号が周波数帯域分割部１及び電力検出部５に入力されるとともに、制御部１３にも入力される。また、増幅部４から出力される信号の一部が取得されて復調部１２に入力される。
復調部１２は、入力される信号を復調することにより、例えば増幅対象となるマルチキャリア信号の周波数帯域ｆ１〜ｆｎに対応した信号を復調し、当該復調結果を制御部１３へ出力する。
【００９３】
制御部１３は、例えば上記第１実施例で述べたのと同様に、電力検出部５から通知される信号レベルと各プリディストーション部ＰＤ１〜ＰＤｎの制御態様とを対応付ける参照テーブルをメモリに記憶しており、当該参照テーブルの内容に基づく制御態様で各プリディストーション部ＰＤ１〜ＰＤｎを制御する。
【００９４】
また、制御部１３は、本例の増幅装置の入力部から入力される増幅対象となるマルチキャリア信号と復調部１２から入力される復調信号とを比較して例えばこれら両信号の差分を増幅部４で発生した歪み成分として検出する機能を有しており、このようにして検出される歪み成分が小さくなるように参照テーブルの内容を更新することにより、フィードバックによるアダプティブプリディストーションを行う。
また、周波数帯域分割部１や歪み補償部２や周波数帯域結合部３や増幅部４や電力検出部５の構成や動作は、例えば上記第１実施例で示したものと同様となる。
【００９５】
以上のように、本例の増幅装置では、例えば上記第１実施例で述べたのと同様な効果を得ることができるとともに、例えば経年変化や温度変化による各処理部の非線形特性の変化に適応することが可能となる。
【００９６】
ここで、本例では、復調部１２の機能により信号復調手段が構成されており、制御部１３が参照テーブルを記憶する機能により制御態様記憶手段が構成されており、制御部１３が増幅部４で発生した歪みを検出する機能により歪み検出手段が構成されており、制御部１３が当該歪み検出結果に基づいて参照テーブルの内容を変更する機能により制御態様記憶内容変更手段が構成されている。
【００９７】
次に、本発明の第４実施例に係る増幅装置を説明する。
図４には、本例の増幅装置の構成例を示してあり、この増幅装置には、上記第３実施例の図３に示したものと同様な機能を有する構成部分として、複数のプリディストーション部ＰＤ１〜ＰＤｎを有した歪み補償部２と、周波数帯域結合部３と、増幅部４と、電力検出部５と、復調部１２と、制御部１３とが備えられており、また、本例では、入力信号結合部１４が備えられている。なお、本例の増幅装置では、上記第３実施例の図３に示した周波数帯域分割部１の機能は備えられていない。また、説明の便宜上から、上記第３実施例の図３に示したものと同様な機能を有する構成部分には当該図３に示したものと同じ符号を付してある。また、図４中の“ａ２”及び“ｂ２”については後述する他の実施例の説明で用いる。
【００９８】
本例の増幅装置では、増幅対象となるマルチキャリアの送信信号がそれぞれのキャリア信号毎に独立に入力される構成であり、具体的には、例えば各周波数帯域ｆ１〜ｆｎの信号毎が当該各周波数帯域ｆ１〜ｆｎに対応した各プリディストーション部ＰＤ１〜ＰＤｎに入力され、また、これら複数の入力信号が入力信号結合部１４に入力される。
【００９９】
入力信号結合部１４は、例えば周波数帯域結合部３と同様な機能を有しており、入力される全ての信号を結合し、当該結合信号を電力検出部５及び制御部１３へ出力する。ここで、入力信号結合部１４は、例えばカプラや、或いは、これと同等な機能を信号処理により実現するプロセッサなどを用いて構成されている。
【０１００】
また、本例の電力検出部５は、入力信号結合部１４から入力される結合信号の電力レベルを検出し、当該検出結果を制御部１３へ出力する。
また、本例の制御部１３は、入力信号結合部１４から入力される結合信号と復調部１２から入力される復調信号とに基づいて増幅部４で発生した歪みを検出する。
また、本例のように各プリディストーション部ＰＤ１〜ＰＤｎに対応したｎ個の信号が入力される構成では、歪み補償部２や周波数帯域結合部３や増幅部４や復調部１２の構成や動作は、例えば上記第３実施例で示したものと同様となる。
【０１０１】
以上のように、本例の増幅装置では、増幅対象となる信号が複数の周波数帯域に対応した複数の信号として入力されるような場合においても、例えば上記第３実施例で述べたのと同様な効果を得ることができる。
【０１０２】
次に、本発明の第５実施例に係る増幅装置を説明する。
図５には、本例の増幅装置の構成例を示してあり、この増幅装置には、上記第１実施例の図１に示したものと同様な機能を有する構成部分として、周波数帯域分割部１と、複数のプリディストーション部ＰＤ１〜ＰＤｎを有した歪み補償部２と、周波数帯域結合部３と、増幅部４と、電力検出部５とが備えられており、また、本例では、フィルタ部１５と、フィードバック制御を行う機能を有した制御部１６とが備えられている。なお、説明の便宜上から、上記第１実施例の図１に示したものと同様な機能を有する構成部分には当該図１に示したものと同じ符号を付してある。
【０１０３】
本例の増幅装置では、増幅部４から出力される信号の一部が取得されてフィルタ部１５に入力される。
フィルタ部１５は、入力される信号から、増幅器で発生する歪み成分が漏洩する周波数帯域の信号のみを抽出し、抽出した信号を制御部１６へ出力する。
【０１０４】
制御部１６は、例えば上記第１実施例で述べたのと同様に、電力検出部５から通知される信号レベルと各プリディストーション部ＰＤ１〜ＰＤｎの制御態様とを対応付ける参照テーブルをメモリに記憶しており、当該参照テーブルの内容に基づく制御態様で各プリディストーション部ＰＤ１〜ＰＤｎを制御する。
【０１０５】
また、制御部１６は、フィルタ部１５から入力される信号を歪み成分の信号とみなして当該信号が小さくなるように参照テーブルの内容を更新することにより、フィードバックによるアダプティブプリディストーションを行う。
また、周波数帯域分割部１や歪み補償部２や周波数帯域結合部３や増幅部４や電力検出部５の構成や動作は、例えば上記第１実施例で示したものと同様となる。
【０１０６】
以上のように、本例の増幅装置では、例えば上記第１実施例で述べたのと同様な効果を得ることができるとともに、例えば経年変化や温度変化による各処理部の非線形特性の変化に適応することが可能となる。
【０１０７】
ここで、本例では、フィルタ部１５が増幅部４で発生する歪み成分を含む周波数帯域の信号を抽出する機能により歪み抽出手段が構成されており、制御部１６が参照テーブルを記憶する機能により制御態様記憶手段が構成されており、制御部１６がフィルタ部１５により抽出される歪みが小さくなるように参照テーブルの内容を変更する機能により制御態様記憶内容変更手段が構成されている。
【０１０８】
次に、本発明の第６実施例に係る増幅装置を説明する。
図６には、本例の増幅装置の構成例を示してあり、この増幅装置には、上記第５実施例の図５に示したものと同様な機能を有する構成部分として、複数のプリディストーション部ＰＤ１〜ＰＤｎを有した歪み補償部２と、周波数帯域結合部３と、増幅部４と、電力検出部５と、フィルタ部１５と、制御部１６とが備えられており、また、本例では、上記第２実施例に示したものと同様な機能を有する構成部分として、入力信号結合部１１が備えられている。
【０１０９】
なお、本例の増幅装置では、上記第５実施例の図５に示した周波数帯域分割部１の機能は備えられていない。また、説明の便宜上から、上記第５実施例の図５に示したものと同様な機能を有する構成部分には当該図５に示したものと同じ符号を付してあり、上記第２実施例の図２に示したものと同様な機能を有する構成部分には当該図２に示したものと同じ符号を付してある。また、図６中の“ａ３”及び“ｂ３”については後述する他の実施例の説明で用いる。
【０１１０】
本例の増幅装置では、増幅対象となるマルチキャリアの送信信号がそれぞれのキャリア信号毎に独立に入力される構成であり、具体的には、例えば各周波数帯域ｆ１〜ｆｎの信号毎が当該各周波数帯域ｆ１〜ｆｎに対応した各プリディストーション部ＰＤ１〜ＰＤｎに入力され、また、これら複数の入力信号が入力信号結合部１１に入力される。
【０１１１】
入力信号結合部１１は、例えば周波数帯域結合部３と同様な機能を有しており、入力される全ての信号を結合し、当該結合信号を電力検出部５へ出力する。
また、本例の電力検出部５は、入力信号結合部１１から入力される結合信号の電力レベルを検出し、当該検出結果を制御部１６へ出力する。
また、本例のように各プリディストーション部ＰＤ１〜ＰＤｎに対応したｎ個の信号が入力される構成では、歪み補償部２や周波数帯域結合部３や増幅部４やフィルタ部１５や制御部１６の構成や動作は、例えば上記第５実施例で示したものと同様となる。
【０１１２】
以上のように、本例の増幅装置では、増幅対象となる信号が複数の周波数帯域に対応した複数の信号として入力されるような場合においても、例えば上記第５実施例で述べたのと同様な効果を得ることができる。
【０１１３】
次に、本発明の第７実施例に係る増幅装置を説明する。
本例では、デジタルプリディストーションにより歪み補償を行う場合に増幅装置に備えられる構成部分の構成例を示す。なお、本例の構成は、他の任意の実施例で示す増幅装置に適用することが可能なものである。
【０１１４】
図７には、本例の増幅装置に備えられる歪み補償部と周波数帯域結合部との間の構成部分の一構成例を示してあり、この構成部分では、各プリディストーション部Ａ１〜Ａｎと周波数帯域結合部２１との間にそれぞれ、Ｉ成分のデジタル信号を処理するためのＤ／Ａ変換器Ｂ１Ｉ〜ＢｎＩと、Ｑ成分のデジタル信号を処理するためのＤ／Ａ変換器Ｂ１Ｑ〜ＢｎＱと、アナログ信号を処理する直交変調部Ｃ１〜Ｃｎとが備えられている。
【０１１５】
各プリディストーション部Ａ１〜Ａｎは、入力される各周波数帯域ｆ１〜ｆｎのデジタル信号に対してデジタル処理により歪み補償特性の歪みを与え、当該歪みが与えられたデジタル信号として、Ｉ成分のデジタル信号をＩ成分用のＤ／Ａ変換器Ｂ１Ｉ〜ＢｎＩへ出力するとともに、Ｑ成分のデジタル信号をＱ成分用のＤ／Ａ変換器Ｂ１Ｑ〜ＢｎＱへ出力する。
【０１１６】
Ｉ成分用の各Ｄ／Ａ変換器Ｂ１Ｉ〜ＢｎＩは、各プリディストーション部Ａ１〜Ａｎから入力されるＩ成分のデジタル信号をＩ成分のアナログ信号へ変換して各直交変調部Ｃ１〜Ｃｎへ出力する。
同様に、Ｑ成分用の各Ｄ／Ａ変換器Ｂ１Ｑ〜ＢｎＱは、各プリディストーション部Ａ１〜Ａｎから入力されるＱ成分のデジタル信号をＱ成分のアナログ信号へ変換して各直交変調部Ｃ１〜Ｃｎへ出力する。
【０１１７】
各直交変調部Ｃ１〜Ｃｎは、Ｉ成分用の各Ｄ／Ａ変換器Ｂ１Ｉ〜ＢｎＩから入力されるＩ成分のアナログ信号及びＱ成分用の各Ｄ／Ａ変換器Ｂ１Ｑ〜ＢｎＱから入力されるＱ成分のアナログ信号を直交変調し、当該直交変調結果となるアナログ信号を周波数帯域結合部２１へ出力する。
周波数帯域結合部２１は、複数の直交変調部Ｃ１〜Ｃｎから入力されるアナログ信号を結合し、当該結合結果を増幅部（図示せず）へ出力する。
【０１１８】
また、図８には、本例の増幅装置に備えられる歪み補償部と周波数帯域結合部との間の構成部分の他の構成例を示してあり、この構成部分では、各プリディストーション部Ａ１〜Ａｎと周波数帯域結合部２１との間にそれぞれ、デジタル直交変調部Ｄ１〜Ｄｎと、Ｄ／Ａ変換器Ｅ１〜Ｅｎとが備えられている。なお、各プリディストーション部Ａ１〜Ａｎ及び周波数帯域結合部２１の構成や動作は例えば上記図７に示したものと同様であり、図８では、説明の便宜上から、これらに上記図７に示したものと同じ符号を付してある。
【０１１９】
各プリディストーション部Ａ１〜Ａｎは、入力される各周波数帯域ｆ１〜ｆｎのデジタル信号に対してデジタル処理により歪み補償特性の歪みを与え、当該歪みが与えられたデジタル信号として、Ｉ成分のデジタル信号及びＱ成分のデジタル信号を各デジタル直交変調部Ｄ１〜Ｄｎへ出力する。
【０１２０】
各デジタル直交変調部Ｄ１〜Ｄｎは、各プリディストーション部Ａ１〜Ａｎから入力されるＩ成分のデジタル信号及びＱ成分のデジタル信号をデジタル直交変調し、当該直交変調結果のデジタル信号を各Ｄ／Ａ変換器Ｅ１〜Ｅｎへ出力する。
各Ｄ／Ａ変換器Ｅ１〜Ｅｎは、各デジタル直交変調器Ｄ１〜Ｄｎから入力される直交変調結果のデジタル信号を直交変調結果のアナログ信号へ変換して周波数帯域結合器２１へ出力する。
周波数帯域結合部２１は、複数のＤ／Ａ変換器Ｅ１〜Ｅｎから入力されるアナログ信号を結合し、当該結合結果を増幅部（図示せず）へ出力する。
【０１２１】
以上のように、上記図７や上記図８に示した構成を用いることにより、デジタルプリディストーションによる歪み補償を実現することができる。
ここで、本例では、例えば上記図７に示した構成ではＩ成分用のＤ／Ａ変換器Ｂ１Ｉ〜ＢｎＩの機能及びＱ成分用のＤ／Ａ変換器Ｂ１Ｑ〜ＢｎＱの機能及び直交変調部Ｃ１〜Ｃｎの機能により直交変調手段が構成されており、また、例えば上記図８に示した構成ではデジタル直交変調器Ｄ１〜Ｄｎの機能及びＤ／Ａ変換器Ｅ１〜Ｅｎの機能により直交変調手段が構成されている。
【０１２２】
次に、本発明の第８実施例に係る増幅装置を説明する。
図９には、本例の増幅装置の構成例を示してあり、この増幅装置には、上記第１実施例の図１に示したものと同様な機能を有する構成部分として、複数のプリディストーション部ＰＤ１〜ＰＤｎを有した歪み補償部２と、周波数帯域結合部３と、増幅部４と、電力検出部５とが備えられており、また、本例では、歪み補償部２及び制御部３３へ出力を行う周波数帯域分割部３１と、周波数帯域別に復調可能な復調部３２と、フィードバック制御を行う機能を有した制御部３３とが備えられている。なお、説明の便宜上から、上記第１実施例の図１に示したものと同様な機能を有する構成部分には当該図１に示したものと同じ符号を付してある。
【０１２３】
周波数帯域分割部３１は、入力される送信信号をｎ個の周波数帯域ｆ１〜ｆｎの信号へ分割し、分割した各周波数帯域ｆ１〜ｆｎの信号を当該各周波数帯域ｆ１〜ｆｎに対応した各プリディストーション部ＰＤ１〜ＰＤｎへ出力するとともに、これら複数の周波数帯域ｆ１〜ｆｎの分割信号を制御部３３へ出力する。
また、増幅部４から出力される信号の一部が取得されて復調部３２に入力される。
【０１２４】
復調部３２は、例えば各プリディストーション部ＰＤ１〜ＰＤｎの周波数帯域ｆ１〜ｆｎと同じ周波数帯域毎に、入力される信号を復調する機能を有しており、各周波数帯域ｆ１〜ｆｎ毎の当該復調結果を制御部３３へ出力する。なお、復調部３２の構成としては、例えば各周波数帯域ｆ１〜ｆｎに対応した複数の復調器を備えてこれら複数の復調器により複数の周波数帯域ｆ１〜ｆｎに対応した信号を同時に復調して当該復調結果を制御部３３へ出力するような構成や、例えば１つの復調器を備えて当該復調器により復調する周波数帯域を所定の時間間隔毎に各周波数帯域ｆ１〜ｆｎへ切り替えて当該復調結果を制御部３３へ出力するような構成を用いることができる。
【０１２５】
制御部３３は、例えば上記第１実施例で述べたのと同様に、電力検出部５から通知される信号レベルと各プリディストーション部ＰＤ１〜ＰＤｎの制御態様とを対応付ける参照テーブルをメモリに記憶しており、当該参照テーブルの内容に基づく制御態様で各プリディストーション部ＰＤ１〜ＰＤｎを制御する。
【０１２６】
また、制御部３３は、例えば各周波数帯域ｆ１〜ｆｎ毎に、周波数帯域分割部３１から入力される増幅対象となる信号と復調部３２から入力される復調信号とを比較して例えばこれら両信号の差分を増幅部４で発生した各周波数帯域ｆ１〜ｆｎの歪み成分毎として検出する機能を有しており、このようにして検出される歪み成分が小さくなるように当該各周波数帯域ｆ１〜ｆｎに対応した参照テーブルの内容部分を更新することにより、フィードバックによるアダプティブプリディストーションを行う。
また、歪み補償部２や周波数帯域結合部３や増幅部４や電力検出部５の構成や動作は、例えば上記第１実施例で示したものと同様となる。
【０１２７】
以上のように、本例の増幅装置では、例えば上記第１実施例で述べたのと同様な効果を得ることができるとともに、例えば経年変化や温度変化による各処理部の非線形特性の変化に適応することが可能となり、また、各周波数帯域ｆ１〜ｆｎ毎にプリディストーションによる歪み補償が行われることに対応して、当該各周波数帯域ｆ１〜ｆｎの信号毎を復調部３２により復調して当該各周波数帯域ｆ１〜ｆｎの歪み毎を制御部３３により検出し、当該検出結果に基づいて当該各周波数帯域ｆ１〜ｆｎ毎に対応した参照テーブルの内容部分を更新することが行われるため、歪み補償の精度をより向上させることが可能となる。
【０１２８】
次に、本発明の第９実施例に係る増幅装置を説明する。
図１０には、本例の増幅装置の構成例を示してあり、この増幅装置には、上記第８実施例の図９に示したものと同様な機能を有する構成部分として、複数のプリディストーション部ＰＤ１〜ＰＤｎを有した歪み補償部２と、周波数帯域結合部３と、増幅部４と、電力検出部５と、復調部３２と、制御部３３とが備えられており、また、本例では、上記第４実施例の図４に示したものと同様な機能を有する構成部分として、入力信号結合部１４が備えられている。
【０１２９】
なお、本例の増幅装置では、上記第８実施例の図９に示した周波数帯域分割部３１の機能は備えられていない。また、説明の便宜上から、上記第８実施例の図９に示したものと同様な機能を有する構成部分には当該図９に示したものと同じ符号を付してあり、上記第４実施例の図４に示したものと同様な機能を有する構成部分には当該図４に示したものと同じ符号を付してある。また、図１０中の“ａ４”及び“ｂ４”については後述する他の実施例の説明で用いる。
【０１３０】
本例の増幅装置では、増幅対象となるマルチキャリアの送信信号がそれぞれのキャリア信号毎に独立に入力される構成であり、具体的には、例えば各周波数帯域ｆ１〜ｆｎの信号毎が当該各周波数帯域ｆ１〜ｆｎに対応した各プリディストーション部ＰＤ１〜ＰＤｎに入力され、また、これら複数の入力信号が入力信号結合部１４及び制御部３３に入力される。
【０１３１】
入力信号結合部１４は、例えば周波数帯域結合部３と同様な機能を有しており、入力される全ての信号を結合し、当該結合信号を電力検出部５及び制御部３３へ出力する。
また、本例の電力検出部５は、入力信号結合部１４から入力される結合信号の電力レベルを検出し、当該検出結果を制御部３３へ出力する。
【０１３２】
また、本例の制御部３３は、本例の増幅装置の入力部から入力される各周波数帯域ｆ１〜ｆｎの信号毎と復調部３２から入力される各周波数帯域ｆ１〜ｆｎの復調信号毎とに基づいて増幅部４で発生した各周波数帯域ｆ１〜ｆｎの歪み毎を検出する。
また、本例のように各プリディストーション部ＰＤ１〜ＰＤｎに対応したｎ個の信号が入力される構成では、歪み補償部２や周波数帯域結合部３や増幅部４や復調部３２の構成や動作は、例えば上記第８実施例で示したものと同様となる。
【０１３３】
以上のように、本例の増幅装置では、増幅対象となる信号が複数の周波数帯域に対応した複数の信号として入力されるような場合においても、例えば上記第８実施例で述べたのと同様な効果を得ることができる。
【０１３４】
次に、本発明の第１０実施例に係る増幅装置を説明する。
なお、本例の増幅装置の概略的な構成は、例えば上記第５実施例の図５に示したものと同様であり、本例では、説明の便宜上から、当該図５に示したものに付した符号と同じ符号を用いて、上記第５実施例の場合と異なる構成や動作を詳しく説明する。
【０１３５】
本例のフィルタ部１５は、例えば各プリディストーション部ＰＤ１〜ＰＤｎの周波数帯域ｆ１〜ｆｎに対応した周波数帯域毎に、入力される信号から、増幅部４で発生した歪み成分を抽出し、抽出した各周波数帯域の歪み成分毎を制御部１６へ出力する。なお、フィルタ部１５の構成としては、例えば各周波数帯域ｆ１〜ｆｎに対応した複数のフィルタを備えてこれら複数のフィルタにより複数の周波数帯域ｆ１〜ｆｎに対応した歪み成分を同時に抽出して当該抽出結果を制御部１６へ出力するような構成や、例えば１つのフィルタを備えて当該フィルタにより抽出する周波数帯域（例えば、通過帯域）を所定の時間間隔毎に各周波数帯域ｆ１〜ｆｎへ切り替えて当該抽出結果を制御部１６へ出力するような構成を用いることができる。
【０１３６】
また、各プリディストーション部ＰＤ１〜ＰＤｎの周波数帯域ｆ１〜ｆｎに対応した周波数帯域としては、例えば各キャリア信号と比べて低域側の歪み成分が多い周波数帯域や、例えば各キャリア信号と比べて高域側の歪み成分が多い周波数帯域を用いることができ、具体的には、例えば各プリディストーション部ＰＤ１〜ＰＤｎの周波数帯域ｆ１〜ｆｎの中で当該周波数帯域ｆ１〜ｆｎに含まれる増幅対象となる信号（本例では、キャリア信号）の周波数帯域部分以外の隣接した周波数帯域部分などを用いることができる。
【０１３７】
制御部１６は、例えば上記第５実施例で述べたのと同様に、電力検出部５から通知される信号レベルと各プリディストーション部ＰＤ１〜ＰＤｎの制御態様とを対応付ける参照テーブルをメモリに記憶しており、当該参照テーブルの内容に基づく制御態様で各プリディストーション部ＰＤ１〜ＰＤｎを制御する。
【０１３８】
また、本例の制御部１６は、例えば各周波数帯域ｆ１〜ｆｎ毎に、フィルタ部１５から入力される歪み成分が小さくなるように当該各周波数帯域ｆ１〜ｆｎに対応した参照テーブルの内容部分を更新することにより、フィードバックによるアダプティブプリディストーションを行う。なお、具体的には、本例の制御部１６は、例えばフィルタ部１５の或る通過帯域により得られる歪み成分の抽出結果に基づいて、当該通過帯域を含む周波数帯域ｆ１〜ｆｎに対応したプリディストーション部ＰＤ１〜ＰＤｎに関する参照テーブルの内容部分を変更することや、或いは、当該通過帯域に近い周波数帯域に対応した参照テーブルの内容部分を更新することなどを行う。
また、周波数帯域分割部１や歪み補償部２や周波数帯域結合部３や増幅部４や電力検出部５の構成や動作は、例えば上記第５実施例で示したものと同様となる。
【０１３９】
以上のように、本例の増幅装置では、例えば上記第１実施例で述べたのと同様な効果を得ることができるとともに、例えば経年変化や温度変化による各処理部の非線形特性の変化に適応することが可能となり、また、各周波数帯域ｆ１〜ｆｎ毎にプリディストーションによる歪み補償が行われることに対応して、当該各周波数帯域ｆ１〜ｆｎ毎に対応した歪み成分をフィルタ部１５により抽出し、当該抽出結果に基づいて当該各周波数帯域ｆ１〜ｆｎ毎に対応した参照テーブルの内容部分を更新することが行われるため、歪み補償の精度をより向上させることが可能となる。
【０１４０】
次に、本発明の第１１実施例に係る増幅装置を説明する。
なお、本例の増幅装置の概略的な構成は、例えば上記第６実施例の図６に示したものと同様であり、本例では、説明の便宜上から、当該図６に示したものに付した符号と同じ符号を用いて、上記第６実施例の場合と異なる構成や動作を詳しく説明する。
【０１４１】
本例では、上記第１０実施例で示したのと同様に、フィルタ部１５や制御部１６により、各プリディストーション部ＰＤ１〜ＰＤｎに対応した各周波数帯域の歪み成分毎が小さくなるように各プリディストーション部ＰＤ１〜ＰＤｎによる歪み補償を制御する。
また、歪み補償部２や周波数帯域結合部３や増幅部４や電力検出部５や入力信号結合部１１の構成や動作は、例えば上記第６実施例で示したものと同様となる。
【０１４２】
以上のように、本例の増幅装置では、増幅対象となる信号が複数の周波数帯域に対応した複数の信号として入力されるような場合においても、例えば上記第１０実施例で述べたのと同様な効果を得ることができる。
【０１４３】
次に、本発明の第１２実施例に係る増幅装置を説明する。
本例では、例えば上記第２実施例や上記第４実施例や上記第６実施例や上記第９実施例や上記第１１実施例に示した増幅装置において、複数の周波数帯域ｆ１〜ｆｎに対応した複数の信号が同一の周波数帯域の信号として入力されるような場合の構成例を示す。なお、このような場合は、例えばＩＦ帯域の信号やＢＢ帯域の信号が入力されて歪み補償されるようなときに生じ易いと考えられ、本例では、ＩＦ帯域或いはＢＢ帯域の信号が入力されるとする。
【０１４４】
本例では、例えば上記第２実施例の図２や上記第４実施例の図４や上記第６実施例の図６や上記第９実施例の図１０や上記第１１実施例の図６に示した入力信号結合部１１、１４及び周波数帯域結合部３のそれぞれに、入力されるＩＦ帯域或いはＢＢ帯域の信号の周波数帯域をＲＦ帯域へ変換するアップコンバータ部を備える。ここで、アップコンバータ部としては、例えば、所定の周波数の信号を発振する発振器と、当該所定の周波数の信号とアップコンバート対象となる信号とを混合するミキサと、当該混合結果から必要な周波数帯域の信号をアップコンバート結果として抽出するバンドパスフィルタを用いて構成することなどができる。
【０１４５】
また、本例のように複数の周波数帯域ｆ１〜ｆｎに対応した複数の信号が同一の周波数帯域の信号として入力される場合には、例えば上記図１２を用いて説明したように、これら複数の信号の周波数帯域を互いに異なる周波数帯域へ変換する機能が上記したアップコンバータ部に備えられる。
【０１４６】
具体的には、上記図２中に示した“ａ１”の点の信号や“ｂ１”の点の信号や、上記図４中に示した“ａ２”の点の信号や“ｂ２”の点の信号や、上記図６中に示した“ａ３”の点の信号や“ｂ３”の点の信号や、上記図１０中に示した“ａ４”の点の信号や“ｂ４”の点の信号は、例えば上記図１２（ａ）に示したようなスペクトルの信号であることが必要であり、電力検出部５では例えば増幅部４で増幅される信号の包絡線の電力を検出することが必要である。
【０１４７】
なお、本例では、複数の周波数帯域ｆ１〜ｆｎに対応した複数の信号が同一の周波数帯域の信号として入力されることから、上記したアップコンバータ部としてはこれらの各信号を個別に周波数変換することが可能な構成が用いられ、そして、当該周波数変換後の信号が結合される構成が用いられるが、例えば複数の周波数帯域ｆ１〜ｆｎに対応した複数の信号が互いに異なる周波数帯域を有してＩＦ帯域或いはＢＢ帯域の信号として入力されるような場合には、必ずしもこのような構成ばかりでなく、例えばこれら複数の信号が結合された後に当該結合信号を一括して周波数変換するようなアップコンバータ部の構成を用いることもできる。
【０１４８】
また、他の構成として、例えば上記第１実施例の図１や上記第３実施例の図３や上記第５実施例の図５や上記第８実施例の図９や上記第１０実施例の図５において、増幅対象となる信号としてＩＦ帯域やＢＢ帯域の信号が入力されるような場合には、例えばこれらの図に示した周波数帯域結合部３には、入力される複数の信号をＲＦ帯域の信号へ変換するアップコンバータ部が備えられ、当該アップコンバータ部を用いて取得されるＲＦ帯域の結合信号が増幅部４へ出力される。
【０１４９】
以上のように、本例の増幅装置では、例えば複数の周波数帯域に対応した複数の信号が同一の周波数帯域の信号として入力されるような場合や、或いは、増幅対象となる信号がＩＦ帯域やＢＢ帯域の信号として入力されるような場合においても、プリディストーションによる歪み補償を実現することができる。なお、ＲＦ帯域の信号を一旦ＩＦ帯域の信号やＢＢ帯域の信号へダウンコンバートした後に、当該ＩＦ帯域の信号や当該ＢＢ帯域の信号を増幅対象として本例の増幅装置に入力して処理するような場合にも、本例の構成を適用することが可能である。
【０１５０】
ここで、本例では、入力信号結合部に備えられるアップコンバータ部の機能により入力信号周波数帯域変換手段が構成されており、周波数帯域結合部に備えられるアップコンバータ部の機能により歪み補償後信号周波数帯域変換手段が構成されている。
【０１５１】
なお、本発明に係る歪み補償装置などの構成としては、必ずしも以上に示したものに限られず、種々な構成が用いられてもよい。
また、本発明の適用分野としては、必ずしも以上に示したものに限られず、本発明は、種々な分野に適用することが可能なものである。
【０１５２】
また、本発明に係る歪み補償装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【０１５３】
【発明の効果】
以上説明したように、本発明に係る歪み補償装置などによると、信号を増幅する増幅器で発生する歪みを補償するに際して、増幅対象となる信号のレベルを検出し、当該検出結果に基づいて当該信号に含まれる複数の周波数帯域の信号の各周波数帯域の信号毎に歪みを補償するようにしたため、例えば増幅対象となる信号が広帯域の信号であっても、周波数特性の影響を低減させて歪み補償を行うことができ、且つ、増幅対象となる信号全体のレベルに基づいて各周波数帯域の信号毎が歪み補償されるため、例えば簡易な構成により歪み補償の精度を確保することができ、これらにより、歪み補償の性能を向上させることができる。
【０１５４】
また、本発明に係る歪み補償装置では、上記のように増幅対象となる信号全体のレベルに基づいて当該信号に含まれる各周波数帯域の信号毎に歪み補償を行う構成において、例えばフィードバックを用いたアダプティブプリディストーションにより、増幅器から出力される信号に含まれる歪みが小さくなるように信号レベルと歪み補償の制御態様との対応付けの内容を変更するようにしたため、例えば経年変化や温度変化などにより非線形特性の変化があったような場合においても、精度のよい歪み補償が行われることを保証することができる。
【０１５５】
また、本発明に係る歪み補償装置では、上記のようにアダプティブプリディストーションを行う構成において、例えば各プリディストーション部に対応した各周波数帯域に対応した歪み成分毎が小さくなるように信号レベルと歪み補償の制御態様との対応付けの内容を変更するようにしたため、より精度の高い歪み補償を実現することができる。
【図面の簡単な説明】
【図１】  本発明の第１実施例に係る増幅装置の構成例を示す図である。
【図２】  本発明の第２実施例に係る増幅装置の構成例を示す図である。
【図３】  本発明の第３実施例に係る増幅装置の構成例を示す図である。
【図４】  本発明の第４実施例に係る増幅装置の構成例を示す図である。
【図５】  本発明の第５実施例に係る増幅装置の構成例を示す図である。
【図６】  本発明の第６実施例に係る増幅装置の構成例を示す図である。
【図７】  本発明の第７実施例に係るデジタルプリディストーションを行う場合に備えられる処理部の一構成例を示す図である。
【図８】  本発明の第７実施例に係るデジタルプリディストーションを行う場合に備えられる処理部の他の構成例を示す図である。
【図９】  本発明の第８実施例に係る増幅装置の構成例を示す図である。
【図１０】  本発明の第９実施例に係る増幅装置の構成例を示す図である。
【図１１】  歪み逆特性を有するＡＭ−ＡＭ変換の一例を示す図である。
【図１２】  アップコンバートの一例を説明するための図である。
【図１３】  従来例に係るプリディストーションによる歪み補償付き送信電力増幅部の構成例を示す図である。
【図１４】  従来例に係るプリディストーションによる歪み補償付き送信電力増幅部の構成例を示す図である。
【図１５】  従来例に係るプリディストーションによる歪み補償付き送信電力増幅部の構成例を示す図である。
【図１６】  従来例に係るプリディストーションによる歪み補償付き送信電力増幅部の構成例を示す図である。
【図１７】  歪み補償部の入力と増幅部の出力の周波数特性の一例を示す図である。
【符号の説明】
１、３１・・周波数帯域分割部、  ２・・歪み補償部、
ＰＤ１〜ＰＤｎ、Ａ１〜Ａｎ・・プリディストーション（ＰＤ）部、
３、２１・・周波数帯域結合部、  ４・・増幅部、  ５・・電力検出部、
６、１３、１６、３３・・制御部、  １１、１４・・入力信号結合部、
１２、３２・・復調部、  １５・・フィルタ部、
Ｂ１Ｉ〜ＢｎＩ、Ｂ１Ｑ〜ＢｎＱ、Ｅ１〜Ｅｎ・・Ｄ／Ａ変換器、
Ｃ１〜Ｃｎ、Ｄ１〜Ｄｎ・・直交変調部、
【図１】
0003805221.tif 000002
【図２】
0003805221.tif 000003
【図３】
0003805221.tif 000004
【図４】
0003805221.tif 000005
【図５】
0003805221.tif 000006
【図６】
0003805221.tif 000007
【図７】
0003805221.tif 000008
【図８】
0003805221.tif 000009
【図９】
0003805221.tif 000010
【図１０】
0003805221.tif 000011
【図１１】
0003805221.tif 000012
【図１２】
0003805221.tif 000013
【図１３】
0003805221.tif 000014
【図１４】
0003805221.tif 000015
【図１５】
0003805221.tif 000016
【図１６】
0003805221.tif 000017
【図１７】
0003805221.tif 000018